(57)【要約】【課題】  硬貨の金種または券類の種別の見間違いを防止する。【解決手段】  券銭分離部２には、搬送用ベルト１７によって搬送される硬貨５と券類６とを整列する整列用ブラシ１８と硬貨５と、券類６を分離する分離用ブラシ２０が備えられている。券銭視認部３には、搬送用ベルト１７の上方でかつ平行で搬送用ベルト１７に硬貨５と券類６を送り込む視認用ベルト４６が備えられている。視認用ベルト４６の全長Ｌ１は、搬送用ベルト１７の全長Ｌ２よりも長く形成されている。また、視認用ベルト４６の走行速度Ｖ３は、搬送用ベルト１７の走行速度Ｖ１よりも遅く設定されている。【選択図】  図２
2005234821.tif 000002
【特許請求の範囲】
【請求項１】
搬送用ベルトによって硬貨と券を搬送し分離用ブラシによってこれらを分離する券銭分離装置において、
前記搬送用ベルトよりも上方でかつ略平行に設けられこの搬送用ベルトに硬貨と券を送り込む視認用ベルトを備えたことを特徴とする券銭分離装置。
【請求項２】
請求項１記載の券銭分離装置において、
前記視認用ベルトの走行速度を前記搬送用ベルトの走行速度よりも遅くしたことを特徴とする券銭分離装置。
【請求項３】
請求項１または２記載の券銭分離装置において、
前記視認用ベルトの走行方向下流側に硬貨および券を前記搬送用ベルトに送り込む巻込用ブラシを設け、前記搬送用ベルトおよび視認用ベルトの駆動と、前記分離用ブラシおよび巻込用ブラシの駆動とを同一の駆動源によって行うことを特徴とする券銭分離装置。
【発明の詳細な説明】
【技術分野】
【０００１】
本発明は、ワンマンバス等に設置される料金収納装置の内部に設けられ、硬貨と紙幣および印刷された紙からなる乗車券、回数券、整理券等（以下、券という）とを分離する券銭分離装置に関するものである。
【背景技術】
【０００２】
従来の券銭分離装置は、プーリ間に張設された無端状の平ベルトと、この平ベルトの終端部に設けられた分離用回転ブラシと、この分離用回転ブラシよりも搬送方向下流側に設けられ硬貨と券とを選別する選別用回転ブラシとを備えたものがある（例えば、特許文献１参照）。なお、本出願人は、本明細書に記載した先行技術文献情報で特定される先行技術文献以外には、本発明に密接に関連する先行技術文献を出願時までに見付け出すことはできなかった。
【特許文献１】実公平４−１８０５６号公報（４頁左欄第１７〜３９行、第１図）
【発明の開示】
【発明が解決しようとする課題】
【０００３】
上述した従来の券銭分離装置においては、券銭投入口から投入された硬貨および券類を搬送する搬送ベルトに分離用回転ブラシや選別用回転ブラシが備えられているため、この搬送ベルトに運転手が硬貨および券類を視認するための視認用の領域を充分にとることができなかった。また、搬送ベルト上で硬貨と券類を分離用ブラシで分離するのに、分離用回転ブラシの周速度よりも搬送ベルトの走行速度を速くする必要があるため、運転手が硬貨と券類を視認できる時間を充分にとることができなかった。このため、硬貨の金種または券類の種別を見間違いするという問題があった。
【０００４】
本発明は上記した従来の問題に鑑みなされたものであり、その目的とするところは、硬貨の金種または券類の種別の見間違いを防止することにある。
【課題を解決するための手段】
【０００５】
この目的を達成するために、請求項１に係る発明は、第１の搬送ベルトによって硬貨と券を搬送し分離ブラシによってこれらを分離する券銭分離装置において、前記第１の搬送ベルトよりも上方でかつ略平行に設けられこの第１の搬送ベルトに硬貨と券を送り込む第２の搬送ベルトを備えたものである。
【０００６】
請求項２に係る発明は、請求項１に係る発明において、前記第２の搬送ベルトの走行速度を前記第１の搬送ベルトの走行速度よりも遅くしたものである。
【０００７】
請求項３に係る発明は、請求項１または２に係る発明において、前記視認用ベルトの走行方向下流側に硬貨および券を前記搬送用ベルトに送り込む巻込用ブラシを設け、前記搬送用ベルトおよび視認用ベルトの駆動と、前記分離用ブラシおよび巻込用ブラシの駆動とを同一の駆動源によって行うものである。
【発明の効果】
【０００８】
請求項１に係る発明によれば、視認専用の第２の搬送ベルトを備え、この第２の搬送ベルトには分離ブラシ等を設ける必要がないから第２の搬送ベルトの全長を硬貨と券とを視認する視認用ベルトして使えるため、硬貨の金種または券類の種別の見間違いを防止することができる。
【０００９】
請求項２に係る発明によれば、第２の搬送ベルトによって搬送される硬貨および券の視認時間を長くすることができるから、硬貨の金種または券類の種別の見間違いを防止することができる。
【００１０】
請求項３に係る発明によれば、装置の小型化および簡素化を図ることができる。
【発明を実施するための最良の形態】
【００１１】
以下、本発明の実施の形態を図に基づいて説明する。図１は本発明に係る券銭分離装置の平面図、図２は図１におけるII-II 線断面図、図３は図１におけるIII 矢視図、図４は第２の搬送ベルトを開いた状態を示す側面図、図５は図４におけるV 矢視図である。
【００１２】
図２に全体を符号１で示す券銭分離装置は、硬貨と券とを分離する券銭分離部２と、硬貨と券とを視認する券銭視認部３とによって構成されており、後述するように券銭視認部３は券銭分離部２の上部を開閉可能なように券銭分離部２に軸１１を介して枢支されている。券銭分離部２には、図５に示すように、互いに対向する左右一対の下部フレーム１０Ａ，１０Ｂが備えられており、これら下部フレーム１０Ａ，１０Ｂの矢印Ｂ方向の上部間には軸１１が横架されている。
【００１３】
図２において、１３は下部フレーム１０Ａ，１０Ｂの矢印Ａ方向の下部間に横架された従動軸であって、この従動軸１３には、下部フレーム１０Ａ，１０Ｂ間に延在する従動ローラ１４が回転自在に支持されている。１５は下部フレーム１０Ａ，１０Ｂの矢印Ａ−Ｂ方向における略中央部の下部間に回転自在に支持された駆動軸であって、この駆動軸１５には、下部フレーム１０Ａ，１０Ｂ間に延在する駆動ローラ１６が軸着されている。これら従動ローラ１４と駆動ローラ１６との間には、平ベルトによって形成された搬送用ベルト１７が水平状態となるように張設されており、この搬送用ベルト１７は後述する駆動系６０によって矢印Ｂ方向に速度Ｖ１によって走行する。
【００１４】
１８は下部フレーム１０Ａ，１０Ｂ間に延在する整列用ブラシであって、下部フレーム１０Ａ，１０Ｂ間に回転自在に支持された駆動軸１９に軸着され、搬送用ベルト１７の略中央において下端がこの搬送用ベルト１７に添接するように、駆動系６０によって搬送用ベルト１７の走行方向と同じ方向、すなわち図中反時計方向に周速度Ｖ２によって回転している。
【００１５】
２０は下部フレーム１０Ａ，１０Ｂ間に延在する分離用ブラシであって、下部フレーム１０Ａ，１０Ｂ間に回転自在に支持された駆動軸２１に軸着され、搬送用ベルト１７の走行方向下流側、すなわち矢印Ｂ方向端部においてこの搬送用ベルト１７に一部が添接するように、駆動系６０によって搬送用ベルト１７の走行方向と反対方向、すなわち図中時計方向に回転する。
【００１６】
２２は４個の巻込用ローラであって、下部フレーム１０Ａ，１０Ｂ間に回転自在に支持された駆動軸２３に等間隔おいて軸着されており、駆動系６０によって分離用ブラシ２０の周部の走行と同じ方向、すなわち図中反時計方向に回転している。この巻込用ローラ２２は、分離用ブラシ２０の駆動軸２１を時計の針の中心として略１１時の位置に位置付けられており、下半分が分離用ブラシ２０内に埋設されている。
【００１７】
２４はゴムによって扁平な長方形に形成され下部フレーム１０Ａ，１０Ｂ間に延在する券類絡み除去用シートであって、下部フレーム１０Ａ，１０Ｂ間に回転自在に支持された駆動軸２５に軸着されており、駆動系６０によって分離用ブラシ２０の周部の走行方向と反対方向、すなわち図中時計方向に回転している。この券類絡み除去用シート２４は、分離用ブラシ２０の駆動軸２１を時計の針の中心として略４時の位置に位置付けられており、略２／３が分離用ブラシ２０内に埋設されている。
【００１８】
２６は従動ローラ１４の上方に位置付けられ下部フレーム１０Ａ，１０Ｂ間に横架された従動軸であって、この従動軸２６には、下部フレーム１０Ａ，１０Ｂ間に延在する従動ローラ２７が回転自在に支持されている。２８は従動軸２６の矢印Ａ方向斜め上方に位置付けられ下部フレーム１０Ａ，１０Ｂ間に回転自在に支持された駆動軸であって、この駆動軸２８には、下部フレーム１０Ａ，１０Ｂ間に延在する駆動ローラ２９が軸着されている。これら従動ローラ２７と駆動ローラ２９との間には、平ベルトによって形成された紙幣引込用ベルト３０が傾斜するように張設されており、この紙幣引込用ベルト３０は駆動系６０によって下方に走行する。
【００１９】
次に、図１、図２、図４を用いて本発明の特徴である券銭視認部３について説明する。
【００２０】
券銭視認部３には、図１に示すように、互いに対向する左右一対の上部フレーム４０Ａ，４０Ｂが備えられており、これら上部フレーム４０Ａ，４０Ｂの間隔は、下部フレーム１０Ａ、１０Ｂ間の間隔と同じ間隔に形成されている。これら上部フレーム４０Ａ，４０Ｂの矢印Ｂ方向の端部の下側には、軸受板４１Ａ，４１Ｂが取り付けられており、これら軸受板４１Ａ，４１Ｂのそれぞれの孔間に前記軸１１を挿通させることにより、この軸１１を中心として券銭視認部３が券銭分離部２に回動自在に支持される。
【００２１】
図２において、４２は上部フレーム４０Ａ，４０Ｂの矢印Ａ方向の端部間に回転自在に支持された駆動軸であって、この駆動軸４２には、上部フレーム４０Ａ，４０Ｂ間に延在する駆動ローラ４３が軸着されている。４４は上部フレーム４０Ａ，４０Ｂの矢印Ｂ方向の端部間に横架された従動軸であって、この従動軸４４には、上部フレーム４０Ａ，４０Ｂ間に延在する従動ローラ４３が回転自在に支持されている。これら駆動ローラ４３と従動ローラ４５との間には、平ベルトによって形成された視認用ベルト４６が、搬送用ベルト１７の上方でかつ平行となるように張設されており、この視認用ベルト４６は駆動系６０によって矢印Ａ方向に速度Ｖ３によって走行する。この視認用ベルト４６の走行速度Ｖ３と、整列用ブラシ１８の周速度Ｖ２と、搬送用ベルト１７の走行速度Ｖ１とは、
Ｖ１＞Ｖ２＞Ｖ３
となるように設定されている。
【００２２】
４７は上部フレーム４０Ａ，４０Ｂ間に延在する巻込用ブラシであって、上部フレーム４０Ａ，４０Ｂ間に回転自在に支持された駆動軸４８に軸着され、視認用ベルト４６の走行方向下流側、すなわち矢印Ａ方向端部においてこの視認用ベルト４６に一部が添接するように、駆動系６０によって視認用ベルト４６の走行方向と同じ方向、すなわち図中時計方向に回転している。４９は券６を券収納部に案内するガイドであって、断面が湾曲状に形成されており、上部フレーム４０Ａ，４０Ｂに取り付けられている。
【００２３】
次に、図１および図３を用いて、本発明の券銭分離装置の駆動系６０について説明する。
【００２４】
図１において、６１はこの駆動系６０の駆動源としてのモータであって、下部フレーム１０Ｂに取り付けられており、出力軸には傘歯車６２が軸着されている。この傘歯車６２と噛合する傘歯車６４は、視認用ベルト４６の駆動軸４２の左側上部フレーム４０Ｂから突出した突出端部に軸着されており、駆動軸４２の右側上部フレーム４０Ａから突出した突出端部には歯車６５が軸着されている。
【００２５】
６６は巻込用ブラシ４７用の駆動軸４８の一端部に軸着された歯車であって、歯車６５に噛合するとともに、上部フレーム４０Ｂに回転自在に支持された中間歯車６７に噛合している。この中間歯車６７には紙幣引込用ベルト３０の駆動軸２８に軸着された歯車６８が噛合しており、紙幣引込用ベルト３０の駆動ローラ２９と巻込用ブラシ４７とはモータ６１によって同じ方向に回転する。
【００２６】
７１は上述した歯車６５と噛合する歯車であって、下部フレーム１０Ｂに回転自在に支持された軸７０に軸着されており、この軸７０には駆動プーリ７２が軸着されている。歯車７１には、整列用ブラシ１８の駆動軸１９に軸着された歯車７３に噛合する。７４は搬送用ベルト１７の駆動軸１５に軸着された従動プーリであって、この従動プーリ７４と駆動プーリ７１との間には伝達ベルト７５が張架されており、この伝達ベルト７５はテンションローラ７６によってテンションが付与されている。
【００２７】
駆動軸１５には歯車７７が軸着され、この歯車７７には下部フレーム１０Ｂに回転自在に支持された中間歯車７８が噛合しており、この中間歯車７８には、分離用ブラシ２０の駆動軸２１に軸着された歯車７９が噛合している。この歯車７９には、券類送りローラ２２の駆動軸２３に軸着された歯車８０が噛合しているとともに、下部フレーム１０Ｂに回転自在に支持された中間歯車８１が噛合している。この中間歯車８１には券類絡み除去用シート２４の駆動軸２５に軸着された歯車８２が噛合している。
【００２８】
このように、搬送用ベルト１７、視認用ベルト４６、紙幣引込用ベルト３０、巻込用ブラシ４７，分離用ブラシ１８、巻込用ローラ２２および券類絡み除去用シート２４の駆動をモータ６１による同一の駆動源によって行うようにしたから、装置の小型化および簡素化を図ることができる。
【００２９】
次に、このように構成された券銭分離装置において硬貨と券類とを分離する動作について説明する。
【００３０】
バスの利用者が図示を省略した券銭投入口から投入した硬貨５や券６は、視認用ベルト４６の走行方向上流側、すなわち、図２において矢印Ｂ方向の端部上に落下する。この視認用ベルト４６は搬送用ベルト１７とは別に設けられているために、この視認用ベルト４６には分離用ブラシ２０を設ける必要がないから、この視認用ベルト４６の全長Ｌ１を搬送用ベルト１７の全長Ｌ２よりも長く形成することができる。また、視認用ベルト４６の途中に整列用ブラシ１８を設ける必要がないから、視認用ベルト４６の全長Ｌ１すべてを視認用の領域として使うことができる。さらに、視認用ベルト４６の走行速度Ｖ３を搬送用ベルト１７の走行速度Ｖ１よりも遅くしている。このため、視認用ベルト４６によって搬送される硬貨５や券６は視認用ベルト４６上に長い時間載置された状態が保たれるから、運転手が硬貨５や券６を目視によって確認する時間が長くなるため、硬貨５の金種または券６の種別の見間違いを防止することができる。
【００３１】
視認用ベルト４６によって矢印Ａの端部に搬送された硬貨５および券６は、視認用ベルト４６の走行方向と同じ方向に回転している巻込用ブラシ４７によって、視認用ベルト４６から巻込用ブラシ４７に確実に巻き込まれるため、下方の搬送ベルト１７に送り込まれる。このとき、硬貨５は自重によって搬送ベルト１７上に落下するが、券６のうち、比較的全長が長く形成された紙幣は、紙幣引込用ベルト３０によって強制的に搬送ベルト１７に送り込まれため、紙幣を確実に搬送ベルト１７に送り込むことができる。
【００３２】
搬送用ベルト１７上に送り込まれた硬貨５および券６は、搬送ベルト１７によって矢印Ｂ方向に搬送され、搬送中に重なった硬貨５と券６とは、搬送用ベルト１７の走行方向と同じ方向に回転し、かつ搬送用ベルト１７の走行速度Ｖ１と異なる周速度Ｖ２で回転する整列用ブラシ１８によって分離され整列される。この状態で、搬送用ベルト１７の矢印Ｂ方向の端部に搬送された硬貨５と券６のうち、硬貨５は自重によって分離用ブラシ２０のブラシの間から下方に落下し硬貨収納部（図示せず）に収納される。一方、券６は、搬送用ベルト１７の矢印Ｂ方向の端部に一部が添接し、かつ搬送用ベルト１７の走行方向と反対方向に回転する分離用ブラシ２０に絡み付き、分離用ブラシ２０の回転に随伴して時計方向へ回動する。
【００３３】
このとき、巻込用ローラ２２が分離用ブラシ２０の周部の走行と同じ方向、すなわち図中反時計方向に回転し、かつ下半分が分離用ブラシ２０内に埋設されているため、この巻込用ローラ２２によって分離用ブラシ２０の回転に随伴して時計方向へ回動する券６が分離用ブラシ２０に確実に絡み付く。さらに、分離用ブラシ２０が回転すると、この分離用ブラシ２０の回転方向の下流側に、この分離用ブラシ２０の絡みから券６を解除する方向に回転する券類絡み除去用シート２４によって、券６が分離用ブラシ２０から外されガイド４９によって案内され下方に設置した券類収納部（図示せず）に収納される。
【００３４】
ここで、券銭分離部２において、硬貨や券類の詰まりが発生した場合には、駆動系６０のモータの駆動を停止させたのち、券銭視認部３を軸１１を中心として、図２中時計方向に回動させることにより、図４に示すように券銭分離部２の上方を開放する。券銭分離部２の上方が開放されると、図５に示すように、搬送用ベルト１７、整列用ブラシ１８、分離用ブラシ２０等が上方が開放されるので、上方から手や工具等を差し入れることにより、硬貨や券類の詰まりを除去することができる。
【図面の簡単な説明】
【００３５】
【図１】本発明に係る券銭分離装置の平面図である。
【図２】図１におけるII-II 線断面図である。
【図３】図１におけるIII 矢視図である。
【図４】本発明に係る券銭分離装置において、第２の搬送ベルトを開いた状態を示す側面図である。
【図５】図４におけるV 矢視図である。
【符号の説明】
【００３６】
１…券銭分離装置、２…券銭分離部、３…券銭視認部、５…硬貨、６…券類、１７…搬送用ベルト、１８…整列用ブラシ、２０…分離用ブラシ、２２…巻込用ローラ、２４…券類絡み除去用シート、３０…紙幣引込用ベルト、４６…視認用ベルト、４７…巻込用ブラシ、６０…駆動系、６１…モータ。
【図１】
2005234821.tif 000003
【図２】
2005234821.tif 000004
【図３】
2005234821.tif 000005
【図４】
2005234821.tif 000006
【図５】
2005234821.tif 000007